(57)【要約】【課題】薬液注入量の異常を検知し、常に適切な量の薬液を注入することができるボイラを提供する【解決手段】ボイラを制御する制御手段と、前記ボイラに給水を行う給水手段と、前記給水に薬液を注入する薬液注入手段とを備えたボイラであって、前記薬液注入手段は、薬液タンクと、薬注ポンプと、前記薬液タンク内の薬液量を計測する薬液計測手段とを備え、前記制御手段は、前記給水手段による給水量に応じて薬注量信号を生成して前記薬注ポンプを駆動するとともに、前記薬注ポンプの所定ストローク数又は所定回転数あたりに注入されるべき薬注量の予め定めた許容量と、前記薬液計測手段により計測された前記薬液タンク内の上記所定ストローク数又は上記所定回転数あたりの薬液の変化量とを比較し、当該変化量が前記許容量を超過した場合に異常を通知する、ボイラが提供される。【選択図】図１
2018091543.tif 000002
【特許請求の範囲】
【請求項１】
ボイラを制御する制御手段と、前記ボイラに給水を行う給水手段と、前記給水に薬液を注入する薬液注入手段とを備えたボイラであって、
前記薬液注入手段は、薬液タンクと、薬注ポンプと、前記薬液タンク内の薬液量を計測する薬液計測手段とを備え、
前記制御手段は、前記給水手段による給水量に応じて薬注量信号を生成して前記薬注ポンプを駆動するとともに、
前記薬注ポンプの所定ストローク数又は所定回転数あたりに注入されるべき薬注量の予め定めた許容量と、前記薬液計測手段により計測された前記薬液タンク内の上記所定ストローク数又は上記所定回転数あたりの薬液の変化量とを比較し、当該変化量が前記許容量を超過した場合に異常を通知する、ボイラ。
【請求項２】
前記給水手段は給水ポンプ及び給水ラインを備え、前記薬液注入手段は前記給水ラインの所定位置に薬注を行うよう構成されており、
前記薬液計測手段は、前記所定位置の上流及び下流の電気伝導度をそれぞれ計測する２組の電極棒を備え、２つの電気伝導度の差に基づいて前記薬液の変化量を計測する、請求項１に記載のボイラ。
【請求項３】
前記給水ポンプは、前記所定位置よりも下流側に配置される、請求項２に記載のボイラ。
【請求項４】
前記薬液計測手段は重量センサを備え、当該重量センサは前記薬液の変化量を計測する、請求項１〜請求項３のいずれかに記載のボイラ。
【請求項５】
給水手段による給水量に応じて薬注量信号を生成して薬注ポンプを駆動し、薬液を注入するとともに、前記薬注ポンプの所定ストローク数又は所定回転数あたりに注入されるべき薬注量の予め定めた許容量と、前記薬液計測手段により計測された前記薬液タンク内の上記所定ストローク数又は上記所定回転数あたりの薬液の変化量とを比較し、当該変化量が前記許容量を超過した場合に異常を通知する、ボイラの薬液注入方法。
【発明の詳細な説明】
【技術分野】
【０００１】
この発明は、薬液注入手段を備えたボイラに関するものである。
【背景技術】
【０００２】
従来、ボイラ内の水の水質を改善するために、ボイラの給水ラインに対して酸化剤や凝集剤等の薬液を注入することが行われている。薬注タンクに貯留された薬液は、薬注ポンプにより薬液注入ラインを介して注入される。例えば、特許文献１に記載のボイラは、管路（給水ライン）内を流れる流体の流量に応じて、薬注ポンプからの吐出薬液を比例制御する薬液注入手段を備えている。
【先行技術文献】
【特許文献】
【０００３】
【特許文献１】特公平０９−２６４５０７号公報
【発明の概要】
【発明が解決しようとする課題】
【０００４】
しかしながら、特許文献１に記載のボイラでは、初期運転時に薬液添加量を設定した後、薬液が適切に注入されているかを検知する手段がなく、薬注ポンプの動作不良や薬液注入ラインの閉塞等により、適切な量の薬液が注入されないままボイラの運転が継続するおそれがあった。
【０００５】
本発明はこのような事情に鑑みてなされたものであり、薬液注入量の異常を検知し、常に適切な量の薬液を注入することができるボイラを提供することを目的とする。
【課題を解決するための手段】
【０００６】
本発明によれば、ボイラを制御する制御手段と、前記ボイラに給水を行う給水手段と、前記給水に薬液を注入する薬液注入手段とを備えたボイラであって、前記薬液注入手段は、薬液タンクと、薬注ポンプと、前記薬液タンク内の薬液量を計測する薬液計測手段とを備え、前記制御手段は、前記給水手段による給水量に応じて薬注量信号を生成して前記薬注ポンプを駆動するとともに、前記薬注ポンプの所定ストローク数又は所定回転数あたりに注入されるべき薬注量の予め定めた許容量と、前記薬液計測手段により計測された前記薬液タンク内の上記所定ストローク数又は上記所定回転数あたりの薬液の変化量とを比較し、当該変化量が前記許容量を超過した場合に異常を通知する、ボイラが提供される。
【０００７】
本発明によれば、薬液計測手段により薬液タンク内の薬液量を計測して、薬液タンク内の薬液の変化量が、薬注ポンプの同一ストローク数／回転数あたりに注入されるべき薬注量の許容量を超過した場合に制御手段が異常を通知することで、常に適切な量の薬液を注入することができる。
【０００８】
以下、本発明の種々の実施形態を例示する。以下に示す実施形態は互いに組み合わせ可能である。
【０００９】
好ましくは、前記給水手段は給水ポンプ及び給水ラインを備え、前記薬液注入手段は前記給水ラインの所定位置に薬注を行うよう構成されており、前記薬液計測手段は、前記所定位置の上流及び下流の電気伝導度をそれぞれ計測する２組の電極棒を備え、２つの電気伝導度の差に基づいて前記薬液の変化量を計測する。
【００１０】
好ましくは、前記給水ポンプは、前記所定位置よりも下流側に配置される。
【００１１】
好ましくは、前記薬液計測手段は重量センサを備え、当該重量センサは前記薬液の変化量を計測する。
【００１２】
また、本発明によれば、給水手段による給水量に応じて薬注量信号を生成して薬注ポンプを駆動し、薬液を注入するとともに、前記薬注ポンプの所定ストローク数又は所定回転数あたりに注入されるべき薬注量の予め定めた許容量と、前記薬液計測手段により計測された前記薬液タンク内の上記所定ストローク数又は上記所定回転数あたりの薬液の変化量とを比較し、当該変化量が前記許容量を超過した場合に異常を通知する、ボイラの薬液注入方法が提供される。
【図面の簡単な説明】
【００１３】
【図１】本発明の第１実施形態に係るボイラの概略構成を示す説明図である。
【発明を実施するための形態】
【００１４】
以下、本発明の実施形態について説明する。以下に示す実施形態中で示した各種特徴事項は、互いに組み合わせ可能である。また、各特徴について独立して発明が成立する。
【００１５】
＜ボイラの構成＞
本発明の実施形態に係るボイラ１は、図１に示すように、略環状の上部ヘッダ２及び下部ヘッダ３を複数本の水管４で連結して構成した缶体５を備える。上部ヘッダ２の上部には、水管４を加熱するバーナ６が設置され、このバーナ６には、電磁弁７が設けられた燃料供給ライン８と、燃焼用空気を供給する送風機（図示せず）が接続される。また、上部ヘッダ２には蒸気弁９を備えた蒸気流出管１０が接続され、水管４内で発生した蒸気は蒸気流出管１０を介して各機器に供給される。
【００１６】
一方、下部ヘッダ３には、流量計１１、逆止弁１２及び給水ポンプ１３が接続された給水ライン１４と、排水弁１５を備えた排水ライン１６が接続される。給水ライン１４は、給水タンクＴに貯留された水を下部ヘッダ３へと導入する。ここで、本実施形態では、流量計１１，逆止弁１２、給水ポンプ１３、給水ライン１４及び給水タンクＴにより、特許請求の範囲の「給水手段」が構成される。また、給水ライン１４には、薬液を注入する薬液注入手段２０が接続される。薬液注入手段２０の具体的な構成については後述する。なお、流量計１１に代えて流速計を配置してもよく、この場合、流速と管路の断面積から流量を算出することができる。
【００１７】
加えて、本実施形態に係るボイラ１は、上述した電磁弁７の開閉制御や送風機、給水ポンプ１３等の駆動制御によりボイラ１の燃焼制御を行う制御手段３０を備えている。本実施形態において、給水ポンプ１３は、缶体５内の水位に応じてＯＮ／ＯＦＦ制御されるが、インバータ制御により運転するものであってもよく、給水ポンプ１３の制御方式は特に限定されない。この制御手段３０は、薬液注入手段２０の制御も行う。
【００１８】
＜薬液注入手段の構成＞
次に、薬液注入手段２０の構成について説明する。ここで、本実施形態において、薬液とは、ボイラ１の水管内の腐食を防止する腐食防止剤のほか、スケール防止剤、分散剤、微生物コントロール剤などの水処理薬品を指し、ボイラ１内の水質を改善するために使用される任意の薬品を含むこととする。
【００１９】
薬液注入手段２０は、図１に示すように、逆止弁２１を介して給水ライン１４と接続される薬注ライン２２と、薬注ポンプ２３と、薬注タンク２４と、薬液計測手段としての重量センサ２５及び二組の電極棒２６ａ，２６ｂ（図面では便宜上矢印で表現している）とを備える。なお、本実施形態においては、薬注ライン２２は給水ポンプ１３よりも上流側の接続位置Ｃ（特許請求の範囲における所定位置）において給水ライン１４と接続される。この構成により、給水と薬液とが混合された後に給水ポンプ１３を通過するため、給水と薬液が混ざりやすくなる。ただし、薬注ライン２２が給水ポンプ１３の下流側に接続される構成としてもよい。
【００２０】
薬注ポンプ２３は、薬注タンク２４内の薬液を給水ライン１４に送り出すポンプであり、本実施形態においてはダイヤフラムポンプが用いられる。この薬注ポンプ２３は、制御手段３０からの薬注量信号に応じてダイアフラムを往復させ、薬液を吐出する。薬注ポンプ２３の薬注量は、ダイヤフラムのストローク数によってカウントされる。なお、薬注ポンプとしては、プランジャーポンプ、、軸ねじポンプ、ギヤポンプなどの他の容積型ポンプとしても良い。軸ねじポンプ又はギヤポンプを用いる場合は、薬注量は軸ねじ又はギヤの回転数によりカウントされる。
【００２１】
また、薬注タンク２４は、薬液を貯留するタンクであり、その重量は重量センサ２５によって計測されていて、薬注タンク２４内の薬液量が常にわかるようになっている。
【００２２】
電極棒２６ａ，２６ｂは、給水ライン１４上の設置した位置における給水の電気伝導度を検出するものであり、二組の電極棒２６ａ，２６ｂのうち一方の電極棒２６ａは接続位置Ｃの上流側、他方の電極棒２６ｂは接続位置Ｃの下流側に設けられる。なお、電極棒２６ａは接続位置Ｃの上流側であれば、給水タンクＴの内部に設けても良い。
【００２３】
＜薬液注入手段の動作＞
次に、以上のような構成の薬液注入手段２０の、制御手段３０の制御による動作を説明する。
【００２４】
制御手段３０は、給水ポンプ１３と薬注ポンプ２３とを同期させて、すなわち給水ポンプ１３の給水量に応じて薬注ポンプ２３を駆動させて、給水ライン１４に薬液を注入する。具体的には、制御手段は３０は、流量計１１により検出される流量信号に対して比例係数を乗じて薬注量信号を生成し、この薬注量信号に基づいて薬注ポンプ２３を駆動することにより、比例制御を行う。これにより、給水ポンプ１３の給水量が変化しても、缶体５へ給水される水には常に適切な割合の薬液が混合され、ボイラ１内の水質を保つことが可能となっている。ここで、薬注量信号により駆動する薬注ポンプ２３の所定ストローク数（例えば、１０ストローク。ただし、１ストローク毎としてもよく、１０ストロークより多くても良い）あたりに注入されるべき薬注量を想定薬注量Ｄｅとする。
【００２５】
また、制御手段３０は、上記比例制御中に、薬注ポンプ２３の想定薬注量Ｄｅと比較した時の薬注タンク２４内の薬液の変化量（減少量）が予め定めた許容量を超過した場合に異常を通知する機能を有している。本実施形態において、この機能は重量センサ２５による薬注タンク２４の重量の計測と、電極棒２６ａ，２６ｂによる給水ライン１４上の接続位置Ｃ前後の電気伝導度の計測とにより実現される。
【００２６】
具体的には、まず制御手段３０は、缶体５への給水開始前に、薬注ポンプ２３の所定ストローク数あたりの想定薬液量Ｄｅの上限Ｌ１と下限Ｌ２の許容量（例えば、±１０％）を予め記憶しておく。その後、給水及び薬液注入の比例制御を開始し、重量センサ２５の計測値から上記所定ストロークあたりの薬注タンク２４内の薬液の減少量を算出する。制御手段３０はまた、比例制御の開始後、電極棒２６ａ及び電極棒２６ｂにより、接続位置Ｃの上流側の電気伝導度と接続位置Ｃの下流側の電気伝導度を取得し、これらの電気伝導度の差からも、薬注タンク２４内の薬液の減少量を算出する。ここで、重量センサ２５の計測値から算出される薬注タンク２４内の薬液の減少量を現実薬注量Ｄｒ１、電極棒２６ａ，２６ｂの計測値から算出される薬注タンク２４内の薬液の減少量を現実薬注量Ｄｒ２とし、これら現実薬注量Ｄｒ１，Ｄｒ２を、上記所定ストロークあたりの薬注タンク２４内の薬液の減少量を実際に注入された薬液量とみなして、この現実薬注量Ｄｒ１及びＤｒ２が想定薬液量Ｄｅの上限Ｌ１と下限Ｌ２の間にあるかどうかを継続的に判定する。
【００２７】
そして、判定により、現実薬注量Ｄｒ１及びＤｒ２がともに上限Ｌ１と下限Ｌ２の間にあれば、制御手段３０は、適切に薬液注入が行われていると判断して、薬注ポンプ２３の比例制御を継続する。一方、現実薬注量Ｄｒ１及びＤｒ２の少なくとも一方が上限Ｌ１と下限Ｌ２の間から外れる、すなわち、許容量を超過したと推定される場合には、制御手段３０は、異常を通知する（アラームを発生させる）ようになっている。
【００２８】
なお、上記では、異常を通知する機能は、比例制御中、つまり給水中に動作するものとして説明したが、非給水時であっても、薬注ポンプ２３を動作させ、薬注タンク２４内の薬液の減少量を計測することで、薬注ライン２２、薬注ポンプ２３及び薬注タンク２４に異常があるかどうかを確認することが可能である。
【００２９】
＜作用効果＞
以上説明した実施形態によれば次の作用効果を奏することができる。
（１）制御手段３０は、重量センサ２５の計測値及び電極棒２６ａ，２６ｂの計測値から算出される現実薬注量Ｄｒ１，Ｄｒ２が許容量を超過した場合に異常を通知する機能を有していることから、薬液を安定して注入することができ、薬液注入手段２０の異常を即座に検知することができる。
（２）薬液注入手段２０が重量センサ２５を備えていることから、薬注タンク２４内の薬液量が低下した場合に、補充をすべき旨の通知をすることも可能である。
【００３０】
なお、本発明は、以下の態様でも実施可能である。
・上記実施形態では、薬液計測手段として、薬注タンク２４内の薬液の重量を計測する重量センサ２５及び給水ライン１４上の接続位置Ｃ前後の電気伝導度を計測する電極棒２６ａ，２６ｂの２つにより現実の薬注量（Ｄｒ１，Ｄｒ２）を算出していたが、重量センサ２５又は電極棒２６ａ，２６ｂの一方のみにより現実薬注量を算出する構成としても良い。また、これらに加えて、また、これらに代えて、薬注タンク２４の水位を計測する水位計を設けても良い。水位計によっても、薬注タンク２４内の薬液量を算出することができる。
【００３１】
なお、この発明は、上記実施形態に限定されるものではなく、発明の要旨の範囲内において種々の変形や変更が可能である。
【符号の説明】
【００３２】
１    ：ボイラ
２    ：上部ヘッダ
３    ：下部ヘッダ
４    ：水管
５    ：缶体
６    ：バーナ
７    ：電磁弁
８    ：燃料供給ライン
９    ：蒸気弁
１０  ：蒸気流出管
１１  ：流量計
１２  ：逆止弁
１３  ：給水ポンプ
１４  ：給水ライン
１５  ：排水弁
１６  ：排水ライン
２０  ：薬液注入手段
２１  ：逆止弁
２２  ：薬注ライン
２３  ：薬注ポンプ
２４  ：薬注タンク
２５  ：重量センサ
２６ａ，２６ｂ  ：電極棒
３０  ：制御手段
Ｄｅ  ：想定薬液量
Ｄｒ１，Ｄｒ２  ：現実薬注量
Ｌ１  ：上限
Ｌ２  ：下限
【図１】
2018091543.tif 000003